(57)【要約】【課題】１段階の操作で目的のプログラムを起動させることができるプログラム実行装置を提供する。【解決手段】プログラム実行装置１は、表示部５と、表示部５に重ねられる操作部２と、表示部５の１箇所を指し示す指示体の移動軌跡を検出する座標検出部３と、リスト画面生成部４を備えている。リスト画面生成部４は表示部５に画像のリスト画面を生成する。リスト画面生成部４はプログラム実行部であり、指示体が特定方向に所定距離移動したことを座標検出部３が検出したときにプログラムを実行する。このプログラムはスライドショーである。表示部５に表示されたリスト画面のスクロール方向と直角の方向が前記特定方向である。【選択図】図２
2015001948.tif 000002
【特許請求の範囲】
【請求項１】
表示部と、
前記表示部に重ねられる操作部と、
前記表示部の１箇所を指し示す指示体の移動軌跡を検出する座標検出部と、
プログラム実行部とを備え、
前記プログラム実行部は、前記指示体が特定方向に所定距離移動したことを前記座標検出部が検出したときプログラムを実行することを特徴とするプログラム実行装置。
【請求項２】
前記表示部に表示されるのが画像のリスト画面であり、
前記リスト画面のスクロール方向と直角の方向が前記特定方向であり、
前記プログラムはスライドショーであることを特徴とする請求項１に記載のプログラム実行装置。
【請求項３】
前記特定方向には正逆二通りがあり、前記二通りの方向の一方に前記指示体が移動したときは前記スライドショーが昇順で実行され、前記二通りの方向の他方に前記指示体が移動したときは前記スライドショーが降順で実行されることを特徴とする請求項２に記載のプログラム実行装置。
【請求項４】
前記指示体の移動軌跡の始点となった画像からスライドショーが開始されることを特徴とする請求項２または３に記載のプログラム実行装置。
【発明の詳細な説明】
【技術分野】
【０００１】
本発明はプログラム実行装置に関する。
【背景技術】
【０００２】
スマートフォンやタブレット端末は言うに及ばず、最近ではパーソナルコンピュータ（以下本明細書では「パソコン」の略称を用いる）まで、タッチパネルで操作する情報機器が多くなっている。その一例を特許文献１に見ることができる。
【０００３】
特許文献１にはタブレット端末が記載されている。このタブレット端末では、画面に表示されたオブジェクトの周囲を指示体で「囲う」という選択動作により、その選択されたオブジェクトに関連する項目のアイコンを環の形状に配置した操作画面をユーザに提供する。
【先行技術文献】
【特許文献】
【０００４】
【特許文献１】特開２０１３−２５４０９号公報
【発明の概要】
【発明が解決しようとする課題】
【０００５】
特許文献１記載の装置では、オブジェクトを選択して関連項目のアイコンを表示させた後、環状に配置されたアイコンの中から必要なものを選択することで目的のプログラムが起動する。すなわち目的のプログラムを起動させるのに２段階の操作が必要である。
【０００６】
本発明は上記の点に鑑みなされたものであり、１段階の操作で目的のプログラムを起動させることができるプログラム実行装置を提供することを目的とする。
【課題を解決するための手段】
【０００７】
上記目的を達成するため、本発明に係るプログラム実行装置は、表示部と、前記表示部に重ねられる操作部と、前記表示部の１箇所を指し示す指示体の移動軌跡を検出する座標検出部と、プログラム実行部とを備え、前記プログラム実行部は、前記指示体が特定方向に所定距離移動したことを前記座標検出部が検出したときプログラムを実行することを特徴としている。
【０００８】
この構成によると、１段階の操作で目的のプログラムを起動させることができるから、目的のプログラムを起動させるのに要する時間を短縮することができる。
【０００９】
上記構成のプログラム実行装置において、前記表示部に表示されるのが画像のリスト画面であり、前記リスト画面のスクロール方向と直角の方向が前記特定方向であり、前記プログラムはスライドショーであることが好ましい。
【００１０】
上記構成のプログラム実行装置において、前記特定方向には正逆二通りがあり、前記二通りの方向の一方に前記指示体が移動したときは前記スライドショーが昇順で実行され、前記二通りの方向の他方に前記指示体が移動したときは前記スライドショーが降順で実行されることが好ましい。
【００１１】
上記構成のプログラム実行装置において、前記指示体の移動軌跡の始点となった画像からスライドショーが開始されることが好ましい。
【発明の効果】
【００１２】
本発明によると、表示部の１箇所を指し示す指示体が特定方向に所定距離移動したことを検出して目的のプログラムを起動させることができるから、目的のプログラムを起動させるのに要する時間が短縮され、速やかに目的のプログラムの世界に入り込むことができる。
【図面の簡単な説明】
【００１３】
【図１】本発明の第１実施形態に係るプログラム実行装置のブロック構成図である。
【図２】表示部での操作を説明する第１の図である。
【図３】表示部での操作を説明する第２の図である。
【図４】操作のフローチャートである。
【発明を実施するための形態】
【００１４】
＜第１実施形態＞
本発明に係るプログラム実行装置は、タッチパネル付きの表示部を備えた情報機器であれば何にでも、例えばスマートフォン、タブレット端末、パソコンのいずれであっても、適用可能である。ここでは本発明に係るプログラム実行装置がタブレット端末で実現されているものとして説明を進める。
【００１５】
プログラム実行装置１が備えるべき要素を図１に示す。操作部２、座標検出部３、リスト画面生成部４、及び表示部５がその要素である。
【００１６】
表示部５は液晶パネルや有機ＥＬパネルなどの平面ディスプレイデバイスにより構成される。操作部２は表示部５に重ねられるタッチパネルにより構成される。タッチパネルは静電容量方式など周知の検知方式のものである。タッチパネルは表示部５とは別の部品であってもよく、表示部５と一体化されていてもよい。タッチパネルは指先やスタイラスなどの指示体が物理的に接触していることを検知するものであってもよいし、指示体が所定距離以内に接近したことを検知するものであってもよい。
【００１７】
操作部２の出力を解析して、指示体が表示部５のどの箇所を指し示しているかを特定するのが座標検出部３である。座標検出部３は、動かないでいる指示体の座標を検出するばかりでなく、指示体が移動したときにはその移動軌跡も検出する。
【００１８】
リスト画面生成部４はプログラム実行部である。ここでは「スライドショー」が実行されるプログラムということになる。
【００１９】
本実施形態では、指示体が特定方向に所定距離移動したことを座標検出部３が検知したことをトリガーとしてリスト画面生成部４がスライドショーのプログラムを起動し、表示部５でスライドショーの動作を行わせる。
【００２０】
このように「指示体が特定方向に所定距離移動した」という１段階の操作でスライドショーを起動させることができるから、スライドショーを起動させるのに要する時間が短縮され、速やかにスライドショーを楽しむことができる。
【００２１】
前記「特定方向」は次の意味を持つ。リスト画面生成部４は図２に示すようなリスト画面を表示部５に生成している。図２のリスト画面は４行４列の画像のマトリックス（１から１６までの整理番号をつけた矩形が画像を象徴している）により構成され、図の上下方向がスクロール方向とされている。スクロール方向と直角の方向が「特定方向」である。
【００２２】
このように、画像のリスト画面のスクロール方向と直角の方向を「特定方向」とすることで、スライドショー開始手順を容易に覚えることができる。
【００２３】
言うまでもないが、「スクロール方向と直角」とはスクロール方向に対し厳密に９０°をなしていることを要件とするものではない。スクロール方向に対し多少の傾きがあってもよいし、カーブが生じていても構わない。要は、スクロール方向との区別が明白でありさえすればよい。なお、ここに示したリスト画面の構成、及びスクロール方向が上下方向であることなどは単なる例示であり、発明を限定するものではない。
【００２４】
「指示体が特定方向に所定距離移動した」とは、「ドラッグ」と称される動き（タッチパネルに触れたままスライドさせて、任意の場所で離す）や、「フリック」あるいは「スワイプ」と称される動き（タッチパネルに触れて軽く払う）が行われたことを意味する。指示体がタッチパネルに接触している場合だけでなく、指示体がタッチパネルから所定距離以内に接近してタッチパネルに接触することなくその状態を保っている場合の動きにも「特定方向に所定距離移動」という表現が適用される。
【００２５】
一口にスクロール方向と直角の方向に移動すると言っても二通りの方向がある。スクロール方向が図の上下方向である場合には、図２のように右方向に移動するか、図３のように左方向に移動するかである。便宜的に右方向を「正方向」とし、左方向を「逆方向」とする。
【００２６】
本実施形態では、指示体が正方向に移動するか逆方向に移動するかによって、スライドショーの表示順序が逆転するものとされている。指示体が正方向に移動したときにはスライドショーは昇順で、すなわち整理番号の小さい画像から整理番号の大きい画像へとスライドショーが進む。指示体が逆方向に移動したときにはスライドショーは降順で、すなわち整理番号の大きい画像から整理番号の小さい画像へとスライドショーが進む。
【００２７】
このように、指示体の動き一つでスライドショーを昇順で行うか降順で行うかを選択できるから、昇順と降順の選択と設定に手間がかからない。
【００２８】
また本実施形態では、指示体の移動軌跡の始点となった画像からスライドショーが開始されることとしている。例えば図２では指示体である指先が整理番号６の画像を指し示している。指先が右方向に移動すると、整理番号６の画像を始点として「整理番号７→８→９→・・・」と昇順でスライドショーが進行する。図３では指示体である指先が整理番号３０の画像を指し示している。指先が左方向に移動すると、整理番号３０の画像を始点として「整理番号２９→２８→２７→・・・」と降順でスライドショーが進行する。
【００２９】
このように、指示体の移動軌跡の始点となった画像からスライドショーが開始されるから、どの画像からスライドショーを開始するかの選択を簡単に行うことができる。
【００３０】
プログラム実行装置１の操作をフローチャートで示したものが図４である。まずステップ＃１１において、指示体で表示部５の１箇所を指し示すという動作を行う。ステップ＃１２では指示体をドラッグする。この場合の「ドラッグ」は「フリック」や「スワイプ」も含めた概念である。
【００３１】
ステップ＃１３では指示体のドラッグの方向がスクロール方向であるかどうかを座標検出部３が判定する。「ＹＥＳ」であればステップ＃１４に進み、「ＮＯ」であればステップ＃１５に進む。
【００３２】
ステップ＃１４に進んだ場合は、リスト画面生成部４がリスト画面をスクロールさせる。リスト画面生成部４はドラッグの方向に応じて上方向にスクロールさせたり、下方向にスクロールさせたりする。またドラッグの移動軌跡の長さに応じて、１行ずつスクロールさせたり、連続的にスクロールさせたりする。ドラッグにより指示された分量のスクロールが終われば操作終了となる。
【００３３】
ステップ＃１３で「ＮＯ」と判定されてステップ＃１５に進んだということはドラッグの方向が特定方向だったということである。ステップ＃１５で座標検出部３は、その特定方向が昇順方向の特定方向であるかどうかを判定する。「ＹＥＳ」であればステップ＃１６に進み、「ＮＯ」であればステップ＃１７に進む。
【００３４】
ステップ＃１６に進んだ場合は指示体の移動軌跡の始点となった画像から昇順でスライドショーが実行される。ステップ＃１７に進んだ場合は指示体の移動軌跡の始点となった画像から降順でスライドショーが実行される。画像が一巡して最初の画像に戻ったらスライドショーは終了する。
【００３５】
＜第２実施形態＞
スライドショー以外のプログラムを実行するプログラム実行装置をプログラム実行装置１の第２実施形態として紹介する。スライドショー以外のプログラムとしては次のようなものがあるが、これに限定されるものではない。
ａ．ドラッグ元の画像とドラッグ先の画像を結合させるプログラム
ｂ．ドラッグ元のアイコンが象徴するモードからドラッグ先のアイコンが象徴するモードに切り替える複数選択モードの切り替えプログラム
ｃ．ドラッグ元の画像に関連するメニューを表示させるプログラム
【００３６】
以上、本発明の実施形態につき説明したが、本発明の範囲はこれに限定されるものではなく、発明の主旨を逸脱しない範囲で種々の変更を加えて実施することができる。
【産業上の利用可能性】
【００３７】
本発明はプログラム実行装置に広く適用可能である。
【符号の説明】
【００３８】
１    プログラム実行装置
２    操作部
３    座標検出部
４    リスト画面生成部（プログラム実行部）
５    表示部
【図１】
2015001948.tif 000003
【図２】
2015001948.tif 000004
【図３】
2015001948.tif 000005
【図４】
2015001948.tif 000006